(57)【要約】      （修正有）【課題】使用中に最適な前方への推進力を保証するソールを提供する。【解決手段】スポーツシューズ、ワークシューズまたはレジャーシューズのためのソールに関し、本体を備え、本体は、地面と接触するように設定された、使用中に下になる面の境界を定める下層２と、ユーザの足と接触するようにまたは使用中にインソールを下から支持するように設定された上層３とを有する。上層３は、それぞれのシートまたはシートの最上部セクションを備え、その使用中に上になる面から、複数の突出部が、トリムを垂直面または下になる面から上になる面への方向に対して傾斜させた状態で上向きに突き出ている。【選択図】図１
2020203082.tif 000002
【特許請求の範囲】
【請求項１】
スポーツシューズ、ワークシューズまたはレジャーシューズのためのソールであって、本体を備え、前記本体は、地面と接触するように設定された、使用中に下になる面（２ａ）の境界を定める下層（２，１３）と、ユーザの足と接触するようにまたは使用中にインソールを下から支持するように設定された上層（３，１５）とを有し、前記上層は、シート（４０）またはシート（４）の最上部セクションを備え、前記シート（４０）または前記シート（４）の前記最上部セクションから、複数の突出部（５）が、トリムを垂直面に対して傾斜させた状態で上向きに突き出ており、前記複数の突出部（５）は、拘束ベース（５ａ）と自由端（５ｂ）とを有し、各自由端（５ｂ）は、対応する前記拘束ベース（５ａ）よりも前記ソールの後部（Ｒ）側にあり、前記複数の突出部は、
前記ソールの各ゾーン、すなわち、前記ソールの前部（Ｆ）の近くであって前記後部（Ｒ）から遠位のゾーン、前記ソールの前記後部（Ｒ）の近くであって前記前部（Ｆ）から遠位のゾーン、およびシューズウエスト部（ＩＰ）におけるゾーン、に設けられ、または
前記ソールの前記前部（Ｆ）の近くであって前記後部（Ｒ）から遠位のゾーン、および、前記ソールの前記後部（Ｒ）の近くであって前記前部（Ｆ）から遠位のゾーンにのみ設けられ、または
前記ソールの前記前部（Ｆ）の近くであって前記後部（Ｒ）から遠位のゾーンにのみ設けられ、または
前記ソールの前記後部（Ｒ）の近くであって前記前部（Ｆ）から遠位のゾーンにのみ設けられる、ソール。
【請求項２】
前記突出部（５）は、壁またはリブ構成を有するため、単一の外縁が前記自由端（５ｂ）を規定し、すなわち、前記突出部（５）は、複数の自由端または分岐点を持たない、請求項１に記載のソール。
【請求項３】
隣り合った連続的な突出部（５）の対は、それぞれの横断溝（ＴＣ）の境界を定め、前記突出部（５）は、弾性的に曲げやすくなっており、前記突出部（５）に圧力を加えることによって、各突出部（５）は、それぞれの前記自由端（５ｂ）がその後ろのまたは前記後部（Ｒ）側の前記突出部に接近するように曲げられる一方、前記圧力が中断されるかまたは減少すると、前記突出部（５）は、初期位置に戻る傾向があり、それにより、それぞれの前記自由端（５ｂ）は、前記前部（Ｆ）の方向に戻り、前方への推進力または前記ソールの前記前部（Ｆ）の方向への力がそれぞれのユーザに解放される、請求項１または２に記載のソール。
【請求項４】
突出部（５）は、対応する前記拘束ベース（５ａ）よりも前記前部（Ｆ）側の自由端を備えていない、請求項１または２または３に記載のソール。
【請求項５】
静止または非変形トリムまたは状態においてそれぞれの前記使用中に下になる面（２ａ）が水平面に当接する前記ソールを考慮して、前記突出部（５）は、規定のまたは前記垂直面と前記ソールの一方の側（Ｓ１）から他方の側（Ｓ２）への方向とが存在する断平面において、および、規定のまたは前記垂直面と前記ソールの前部（Ｆ）から後部（Ｒ）への方向とが存在する断平面において、前記垂直面に対して傾斜している、請求項１、２または３に記載のソール。
【請求項６】
前記突出部（５）は、前記ソールの一方の側（Ｓ１）から他方の側（Ｓ２）への方向に、または、前記ソールの長手方向の広がりもしくは長さ（ｘ−ｘ）を横断する方向（ｙ−ｙ）に、湾曲傾向を有する、先行する請求項のいずれか１項に記載のソール。
【請求項７】
前記ソールの前記前部（Ｆ）および／または前記シューズウエスト部（ＩＰ）における前記突出部（５）の各々は、前記ソールの内部部分または内側部分から外部部分または外側部分への方向に、前記ソールの前記後部（Ｒ）の方に開口する第１の凹部（Ｃ１）を規定する第１の湾曲セクション（５ｃ）と、前記ソールの前記前部（Ｆ）の方に開口する第２の凹部（Ｃ２）を規定する第２の湾曲セクション（５ｄ）とを備える、請求項６に記載のソール。
【請求項８】
前記ソール（１）の前記シューズウエスト部（ＩＰ）および／または前記後部（Ｒ）における前記突出部（５）の各々は、前記ソールの内部側または内側（Ｓ１）から外部側または外側（Ｓ２）への方向に、前記ソールの前記後部（Ｒ）の方に開口する凹部を規定する第３の湾曲セクション（５ｅ）を１つだけ備える、請求項６または７に記載のソール。
【請求項９】
前記突出部（５）は、拘束ベース（５ａ）と自由端（５ｂ）との間のそれぞれの広がり全体にわたって傾斜している、先行する請求項のいずれか１項に記載のソール。
【請求項１０】
前記突出部（５）の前記自由端（５ｂ）の終端または最上部バンドまたは面（５ｈ）は、前記前部（Ｆ）から前記後部（Ｒ）まで、上向きに向けられた第３の凹部（Ｃ３）と下向きに向けられた第４の凹部（Ｃ４）とを有する面に沿って、実質的に整列されている、先行する請求項のいずれか１項に記載のソール。
【請求項１１】
前記ソールは、窪んだゾーン（６）を規定し、前記窪んだゾーン（６）は、上向きに開口し、前記ソールの長手方向または後部−前部の広がりの５０〜９５％にわたって、および、横方向の広がりまたは前記ソールの一方の側から他方の側までの５０〜９５％にわたって延在し、前記突出部は、前記窪んだゾーン（６）の長手方向の広がり全体にわたって分散され、前記突出部の各々は、前記ソールの一方の側（Ｓ１）の前記窪んだゾーン（６）の境界の端縁部（４ｂ）から前記ソールの他方の側（Ｓ２）の前記窪んだゾーン（６）の境界の前記端縁部（４ｂ）の別のセクションまで延在している、先行する請求項のいずれか１項に記載のソール。
【請求項１２】
前記突出部（５）の側部または終端端部（５ｆ，５ｇ）の各々は、前記ソールのそれぞれの端縁部（４ｂ）において埋設または拘束されることにより、前記突出部（５）の前記終端端部（５ｆ，５ｇ）は、このような端縁部に実質的に固定される、先行する請求項のいずれか１項に記載のソール。
【請求項１３】
空洞（１４）と、前記空洞（１４）のサイズに合わせて実質的に取り外し可能に収容可能なインサート（１５）とを規定する外側ソールコンポーネント（１３）を備え、前記インサート（１５）は、前記シート（４０）と、前記突出部（５）とを備える、先行する請求項のいずれか１項に記載のソール。
【請求項１４】
前記外側ソールコンポーネント（１３）に作製された貫通窓（８）が設けられ、前記ソールは、窓（８）を充填するための少なくとも１つのコンポーネント（１９）を備え、前記少なくとも１つの充填コンポーネント（１９）は、プレートセクション（１９ａ）を含み、前記プレートセクション（１９ａ）から、窓（８）を充填するための少なくとも１つのブロック（１９ｂ）が延在している、請求項１３に記載のソール。
【請求項１５】
底部または前記使用中に下になる面（２ａ）に複数のリブ（９）を備え、前記複数のリブ（９）の各々は、取付ベース（９ａ）と、対応する前記取付ベース（９ａ）よりも前記ソール（１）の前記前部（Ｆ）側の自由先端（９ｂ）とを有する、先行する請求項のいずれか１項に記載のソール。
【請求項１６】
前記リブ（９）は、弾性的に曲げやすくなっており、特に前記ユーザの足によってそれに圧力を加えることによって、各リブ（９）は、それぞれの前記自由先端（９ｂ）がその前のまたは前記前部側の前記リブ（９）に接近するかまたは希望であれば接触するように曲げられることにより、変形状態が得られる一方、前記圧力が中断されるかまたは減少すると、前記リブは、初期位置に戻る傾向があり、それにより、それぞれの前記自由先端（９ｂ）は、前記後部（Ｒ）の方向に戻り、前方への推進力または前記ソールの前記前部（Ｆ）の方向への力がそれぞれのユーザに解放されて、静止または非変形状態が新たに得られる、請求項１５に記載のソール。
【請求項１７】
上向きに開口した１つ以上の溝を備え、このような溝は、ユーザの足の汗を蓄積するように設定され、
少なくとも１つの排出ゾーンまたは開口を備え、前記少なくとも１つの排出ゾーンまたは開口は、前記複数の溝と流体連通し、そこに蓄積された汗の排出のために前記ソールの外側に通じている、先行する請求項のいずれか１項に記載のソール。
【請求項１８】
先行する請求項のいずれか１項に記載のソールと、前記ソールに拘束された甲革とを備えるシューズ。
【発明の詳細な説明】
【技術分野】
【０００１】
発明の技術分野
本発明は、スポーツシューズ、希望であればランニングシューズ、またはワークシューズまたはレジャーシューズのためのソール、および１つのこのようなソールを含むシューズに関する。
【背景技術】
【０００２】
先行技術の技術状態
個人的な楽しみのためであるがとりわけレースのために行われる活動としてのランニングは、ユーザがシューズを履いた足を曲げるステップの後に地面から足を上げるたびに優れた弾性復帰を保証するようなシューズを使用して行われる。
【０００３】
ＷＯ２０１８１６７３３１Ａ１という番号で公開された国際出願は、たとえば、下層と、このような層の外周から延在する側壁と、下層から上向きに突き出る一連の突出部とを有するシューズのためのソールに関する。
【０００４】
各突出部は、ソールの長手方向軸を横断するように延在し、下層と接触する第１のセグメントと、第１のセグメントに対して下層から遠位であり、第１のセグメントに対して曲げられた第２のセグメントとを備える。
【０００５】
各突出部の側方端部と側壁との間には、各突出部の完全な曲げを可能にする第１の間隙があり、２つの隣接する突出部の間には、これらの突出部がユーザの足のサポートによって曲げられたときに第２のセグメントが隣接する突出部に当接するように第２の間隙がある。
【０００６】
また、ソールの前部部分では、第２のセグメントはソールの前端の方に向けられるように傾斜しているのに対して、後部部分では、第２のセグメントはソールの後部部分の方に向けられるように傾斜している。
【０００７】
１つのこのような解決策が、特に突出部の形状との関係で、優れた前方への推進力をユーザに保証しない、ということを確認することができた。
【発明の概要】
【発明が解決しようとする課題】
【０００８】
発明の目的
本発明の１つの目的は、スポーツシューズ、希望であればランニングシューズ、またはワークシューズまたはレジャーシューズのための新たなソールを提供することである。
【０００９】
本発明の別の目的は、使用中に最適な前方への推進力を保証する上記の新たなソールを提供することである。
【００１０】
本発明の別の目的は、各ユーザの足に人間工学的に適合されることができるソールを提供することである。
【００１１】
本発明の別の目的は、上記に加えて、優れた汗の通りを保証するソールを提供することである。
【課題を解決するための手段】
【００１２】
本発明の一局面に従って、請求項１に係るソールが提供される。
従属項は、本発明の好ましいまたは有利な実施形態について言及する。
【００１３】
本発明の他の特徴および利点は、同封の図面に例示的に示されているソールの実施形態の説明からより明らかであろう。
【図面の簡単な説明】
【００１４】
【図１】本発明に係るソールの斜視図である。
【図２】本発明に係るソールの斜視図である。
【図３】図１のソールの上面図である。
【図４】図３の線ＩＶ−ＩＶに係る断面図である。
【図５】図３の線Ｖ−Ｖに係る断面図である。
【図６】図１のソールの、下からの図である。
【図７】図１のソールの、一方の側からの図である。
【図８】図１のソールの、他方の側からの図である。
【図９】本発明に係る別のソール実施形態の斜視図である。
【図１０】本発明に係る別のソール実施形態の斜視図である。
【図１１】図９のソールの、下からの図である。
【図１２】図９のソールの、一方の側からの図である。
【図１３】図９のソールの、他方の側からの図である。
【図１４】図９のソールの分解組立図である。
【図１５】図９のソールの分解組立図である。
【発明を実施するための形態】
【００１５】
同封の図面のセットにおいて、同等の構成要素または部分は、同一の参照番号で示されている。
【００１６】
発明の実施形態
図１〜図８を参照して、スポーツシューズ、希望であればランニングシューズ、またはワークシューズまたはレジャーシューズのための本発明に係るソール１が示されており、このようなソールは、本体を備え、本体は、地面と接触するように設定された、使用中に下になる面２ａの境界を定める下層２と、ユーザの足と接触するようにまたは使用中にインソール（図には図示せず）を下から支持するように設定された上層３とを有する。
【００１７】
本体は、単一のシート４でできていてもよく、または、オーバープリントまたは接着剤またはのりまたはその他の好適な方法によって互いに重ね合わせられて拘束された複数のシートでできていてもよい。本体が単一のシート４でできている場合、下層２および上層は一体になっている。
【００１８】
当然のことながら、ソール１は、前部Ｆと、後部Ｒと、２つの側部Ｓ１，Ｓ２、すなわち内側または内部側Ｓ１および外側または外部側Ｓ２とを備える。
【００１９】
そして、上層３は、それぞれのシートまたはシート４の最上部セクションを備え、その使用中に上になる面４ａから、複数の突出部５が、トリムを垂直面または下になる面２ａから上になる面４ａへの方向に対して傾斜させた状態で上向きに突き出ている。
【００２０】
突出部５は、拘束ベース５ａと自由端５ｂとを有し、各自由端５ｂは、対応する拘束ベース５ａよりもソール１の後部Ｒ側にある。実質的には、突出部５は後方に傾斜しており、または自由端が後方に傾斜している。すなわち、拘束ベース５ａから自由端５ｂまでの通路における各突出部５は、後部の方向に延在し、連続的なまたは一定の態様で後部の方向にのみ延在している。
【００２１】
突出部５は、壁またはリブ構成を有するため、単一の外縁が自由端５ｂを規定し、すなわち、突出部は、自由端または分岐点を持たない。
【００２２】
突出部５は、ソールの各ゾーン、すなわち、ソールの前部Ｆの近くであって後部Ｒから遠位のゾーン、ソールの後部Ｒの近くであって前部Ｆから遠位のゾーン、およびシューズウエスト部ＩＰにおけるゾーン、に設けられてもよく、または
ソールの前部Ｆの近くであって後部Ｒから遠位のゾーン、および、ソール１の後部Ｒの近くであって前部Ｆから遠位のゾーンにのみ設けられてもよく、または
ソールの前部（Ｆ）の近くであって後部（Ｒ）から遠位のゾーンにのみ設けられてもよく、または
ソールの後部（Ｒ）の近くであって前部（Ｆ）から遠位のゾーンにのみ設けられてもよい。
【００２３】
好ましくは、突出部５は、ソール１の前部Ｆの近くであって後部Ｒから遠位のゾーン、および、ソール１の後部Ｒの近くであって前部Ｆから遠位のゾーンの両方のゾーンに設けられ、希望であればシューズウエスト部ＩＰにおけるゾーンにも設けられる。
【００２４】
希望であれば、隣接するまたは隣り合った連続的な突出部５の対は、たとえば約１〜２０ｍｍのそれぞれの横断溝ＴＣの境界を定める。横断溝ＴＣは、好ましくは、横方向の広がり全体にわたって、または突出部５の一方の側から他方の側まで境界を定められている。すなわち、隣接するまたは隣り合った連続的な突出部の対は、少なくとも静止トリムにおいて、その横方向の広がり全体にわたって接触しない。
【００２５】
また、突出部５は、弾性的に曲げやすくなっており、特にユーザの足によってそれに圧力を加えることによって、各突出部５は、それぞれの自由端５ｂがその後ろのまたは後部Ｒ側の突出部５に接近するかまたは希望であれば接触するように曲げられることにより、変形状態またはトリムが得られる一方、圧力が中断されるかまたは減少すると、たとえばユーザがランニングまたはウォーキング中にソールまたはそれぞれのシューズと係合した状態で足を上げると、突出部は、初期位置に戻る傾向があり、それにより、それぞれの自由端５ｂは、前部Ｆの方向に戻り、前方への推進力またはソールの前部Ｆの方向への力がそれぞれのユーザに解放されて、静止または非変形トリムまたは状態が新たに得られる。
【００２６】
好ましくは、対応する拘束ベース５ａよりも前部Ｆ側の自由端５ｂを有する突出部５は設けられない。明らかに、このように配置された突出部５も設けられてもよいが、その割合は突出部５の総数の５〜１０％未満である。
【００２７】
その代わりに、このように構築された自由端を１つまたは複数の突出部５が有する場合には、このような１つまたは複数の突出部５は、曲げるステップの後に、それに対する圧力が中断された時点で後方への推進力または後部Ｒの方向への力を提供し、これは明らかに望ましくない。
【００２８】
突出部５は、垂直面に対して傾斜を有することができる。
このような事項に関して、静止または非変形トリムまたは状態においてそれぞれの使用中に下になる面２ａが水平面に当接するソールを考慮して、突出部５は、規定のまたは垂直面と前部Ｆから後部Ｒへの方向（図５を参照）とが存在する断平面において、および希望であれば、規定のまたは垂直面と一方の側Ｓ１から他方の側Ｓ２への方向（図４を参照）とが存在する断平面においても、垂直面に対して傾斜し得る。
【００２９】
より特定的には、規定のまたは垂直面と一方の側Ｓ１から他方の側Ｓ２への方向とが存在する断平面においては、突出部５は、５°〜４５°だけ垂直面に対して傾斜し得る。
【００３０】
規定のまたは垂直面と前部Ｆから後部Ｒへの方向（図５を参照）とが存在する断平面においては、突出部５は、その代わりに、５°〜３０°だけ垂直面に対して傾斜し得て、自由端５ｂは、対応する拘束ベース５ａよりも後部Ｒ側である。
【００３１】
各突出部５の上記の平面における垂直面に対する傾斜は、好ましくは上記の間隔にとどまりながら、一方の側Ｓ１と他方の側Ｓ２とで異なっていてもよい。
【００３２】
さらに、各突出部５の傾斜は、他の突出部５の傾斜とは異なっていてもよい。
また、突出部５は、有利なことに、拘束ベース５ａと自由端５ｂとの間のそれぞれの広がり全体にわたって、および、それぞれの横方向の広がり全体にわたってまたは一方の側Ｓ１から他方の側Ｓ２へ、傾斜している。
【００３３】
希望であれば、突出部５は、一方の側Ｓ１から他方の側Ｓ２への方向に、または、ソール１の長手方向の広がりもしくは長さを横断する方向に、湾曲傾向を有する。
【００３４】
このような事項に関して、ソールの前部Ｆおよび／またはシューズウエスト部ＩＰにおける突出部５の各々は、ソール１の内部部分または内側部分Ｓ１から外部部分または外側部分Ｓ２への方向に、ソールの後部Ｒの方に開口する第１の凹部Ｃ１を規定する第１の湾曲セクション５ｃと、ソール１の前部Ｆの方に開口する第２の凹部Ｃ２を規定する第２の湾曲セクション５ｄとを備える。
【００３５】
その代わりに、ソール１のシューズウエスト部ＩＰおよび／または後部Ｒにおける突出部５の各々は、ソールの内部側または内側Ｓ１から外部側または外側Ｓ２の方向に、ソールの後部Ｒの方に開口する第３の凹部Ｃ３を規定する第３の湾曲セクション５ｅを１つだけ備え得る。
【００３６】
このような事項に関して、突出部５が湾曲傾向を有する場合、突出部５が対応する拘束ベース５ａよりもソール１の後部Ｒ側の自由端５ｂを有する条件は、突出部の各横断セクション、すなわち自由端５ｂがそれぞれの拘束ベース５ａよりも、すなわちこのような自由端５ｂが延在する拘束ベース５ａよりも後部Ｒ側であるというものである。
【００３７】
このような局面を参照して、内側Ｓ１における突出部５の第１の側部５ｆの自由端５ｂは、外側Ｓ２における突出部５の第２の側部５ｇの自由端５ｂの拘束ベース５ａよりも前部側であり得るが、内側Ｓ１における突出部５の第１の側部５ｆの自由端５ｂは、このような第１の側部５ｆの自由端５ｂの拘束ベース５ａよりも後部側であり、同じことが自由端５ｂおよび外側Ｓ２における突出部５の第２の側部５ｇの拘束ベースにも当てはまる。
【００３８】
実質的に、各横断セクションについて、突出部５は、拘束ベース５ａよりもソール１の後部Ｒ側の自由端５ｂを有するが、これは、突出部５のセクションの自由端５ｂおよび同一の突出部５の別のセクションの拘束ベース５ａに必ずしも当てはまらない。
【００３９】
そして、突出部５の高さに関して、これは約１ｍｍ〜３ｃｍであってもよい。
当然のことながら、突出部５は、互いに異なる高さを有していてもよく、たとえば前部Ｆおよび／またはシューズウエスト部ＩＰにおいては高さが低くてもよく、たとえば１〜２０ｍｍであってもよく、後部Ｒにおいては高さが高くてもよく、たとえば１０〜３０ｍｍであってもよい。当然のことながら、リブ５の高さも一方の端部５ｆと他方の端部５ｆとで異なっていてもよい。
【００４０】
好ましくは、各突出部５は、他方もしくは第２の側部またはソール１の外部部分もしくは外側部分における終端端部５ｇよりもソールの前部側の第１の側部または終端端部５ｆを内部部分または内側部分に有する。このような事項に関して、第１の終端端部５ｆは、約１０ｍｍ〜３ｃｍだけ第２の終端端部５ｇよりも前部Ｆ側であってもよい。
【００４１】
このような距離または差は、突出部５の位置に従ってさまざまであってもよく、前部Ｆまたはシューズウエスト部ＩＰにおける突出部５ではより大きくてもよく、たとえば１〜３ｃｍであってもよく、その代わりに後部Ｒにおける突出部５ではより小さくてもよく、たとえば１０ｍｍ〜１ｃｍであってもよい。
【００４２】
突出部５は、２ｍｍ〜１ｃｍの厚みを有し得る。
明らかに、突出部５の厚みは、拘束ベース５ａから自由端５ｂまで一定であってもよく、またはテーパ状になっていてもよく、そのため、自由端５ｂは、それぞれのベース５ａよりも薄い。
【００４３】
有利なことに、突出部５の自由端５ｂの終端または最上部バンドまたは面５ｈは、前部Ｆから後部Ｒまで、上向きに向けられた第４の凹部Ｃ４と下向きに向けられた第５の凹部Ｃ５とを有する面４ｅに沿って、実質的に整列されている。
【００４４】
このような特徴により、ユーザの足またはインソールの当接面４ｅは、適切な快適さを保証する。
【００４５】
突出部５は、ソール１の長手方向の広がりまたは後部Ｒ−前部Ｆの広がりの５０〜９５％、希望であれば６０〜８０％にわたって、および、横方向の広がりまたはソールの一方の側Ｓ１から他方の側Ｓ２までの５０〜９５％、希望であれば６０〜８５％にわたって分散されている。
【００４６】
このような事項に関して、ソール１またはさらにはそれぞれのシートもしくはシート４のそれぞれの最上部セクションは、窪んだゾーン６を規定することができ、窪んだゾーン６は、上向きに開口し、ソール１の長手方向の広がりまたは後部Ｒ−前部Ｆの広がりの５０〜９５％にわたって、および、横方向の広がりまたはソールの一方の側Ｓ１から他方の側Ｓ２までの５０〜９５％にわたって延在する。窪んだゾーン６の底部は、使用中に上になる面４ａによって規定されることができる。
【００４７】
窪んだゾーン６は、突出部５の高さに実質的に対応し、このような高さに応じて前部Ｆから後部Ｒまでおよび一方の側から他方の側まで可変である深さを有し得る。
【００４８】
窪んだゾーン６が設けられる場合、突出部５は、窪んだゾーン６の長手方向の広がり全体にわたって分散され、突出部５の各々は、ソールの一方の側Ｓ１の窪んだゾーン６の境界のシートまたはシート４のそれぞれの最上部セクションの端縁部４ｂの一方のセクションからソールの他方の側Ｓ２の窪んだゾーン６の境界の端縁部４ｂの別のセクションまで延在している。
【００４９】
このような場合、突出部５の各々は、窪んだゾーン６の境界の端縁部４ｂのそれぞれのセクションにおいて埋設または拘束され得ることにより、突出部５の側部または終端端部５ｆ，５ｇは、端縁部４ｂのこのようなセクションに実質的に固定される。
【００５０】
このような場合、端縁部４ｂは、明らかに環状であり、または、いずれの場合でも明らかに不規則な形状のループとして閉じた面上に延在している。
【００５１】
そして、ソールは、ソールの前部Ｆ、後部Ｒおよび／または側部Ｓ１，Ｓ２における端縁部４ｂから上向きに延在する隆起端縁７を備え得る。
【００５２】
窪んだゾーン６が存在する場合、当接面４ｅは、周囲ゾーン４ｃに沿って端縁部４ｂから内部または中間ゾーン４ｄ内に規定され、中間ゾーン４ｄは、全部または一部が周囲ゾーン４ｃ、突出部５、またはさらにはその自由端５ｂの終端または最上部バンドまたは面５ｈによって取り囲まれている。したがって、当接面４ｅの中間ゾーン４ｄは、離散的であって非連続的であろう。
【００５３】
周囲ゾーン４ｃは、存在する場合、当接面４ｅの周囲全体にわたって延在するように環状であり、または開口した湾曲セクションでもある。
【００５４】
このような事項に関して、依然として窪んだゾーン６が存在する場合には、突出部５の自由端５ｂの終端または最上部バンドまたは面５ｈは、端縁部４ｂによって規定される周囲ゾーン４ｃとも実質的に整列される。
【００５５】
一方または両方の側Ｓ１，Ｓ２に、好ましくは外部側または外側Ｓ２のみに、１つ以上の窓８を設けることができ、１つ以上の窓８においては、突出部などの断面を見ることができて突出部５の形状を視覚的に思い起こさせる。
【００５６】
希望であれば、ソール１は、底部または使用中に下になる面２ａに、突出部５の構成と同様の構成を備えたリブ９を有する。
【００５７】
このようなリブ９は、特にそれぞれの高さとの関係で、突出部５のように可撓性である場合もあれば、そうでない場合もある。
【００５８】
リブ９が設けられる場合、これらは、取付ベース９ａと自由先端９ｂとを有し、各自由先端９ｂは、対応する取付ベース９ａよりもソール１の前部Ｆ側にある。実質的に、リブ９は、前方に傾斜している。
【００５９】
さらに、リブ９は、壁またはリブ構成を有するため、単一の外縁が自由先端９ｂを規定し、すなわち、リブは、複数の自由端または分岐点を持たない。
【００６０】
リブ９は、ソールの前部Ｆの近くであって後部Ｒから遠位のゾーン、および、ソール１の後部Ｒの近くであって前部リブＦから遠位のゾーンに設けられ得る。
【００６１】
希望であれば、隣接するまたは隣り合った連続的なリブ９の対は、たとえば約１〜２０ｍｍのそれぞれの横断空間ＴＧの境界を定める。横断空間ＴＧは、好ましくは、横方向の広がり全体にわたって、またはリブ９の一方の側から他方の側まで境界が定められ、すなわち、隣接するまたは隣り合った連続的なリブの対は、少なくとも静止トリムにおいて、横方向の広がり全体にわたって接触しない。
【００６２】
また、リブ９は、弾性的に曲げやすくなっており、特にユーザの足によってそれに圧力を加えることによって、各リブ９は、それぞれの自由先端９ｂがその前のまたは前部側のリブ９に接近するかまたは希望であれば接触するように曲げられることにより、変形状態が得られる一方、圧力が中断されるかまたは減少すると、たとえばユーザがランニングまたはウォーキング中にソールまたはそれぞれのシューズと係合した状態で足を上げると、リブ９は、初期位置に戻る傾向があり、それにより、それぞれの自由先端９ｂは、後部Ｒの方向に戻り、前方への推進力またはソールの前部Ｆの方向への力がそれぞれのユーザの方に解放されて、静止または非変形状態が新たに得られる。
【００６３】
好ましくは、対応する取付ベース９ａよりも後部Ｒ側の自由端を有するリブ９は設けられない。明らかに、このように配置されたリブ９も設けられてもよいが、その割合はリブの総数の５〜１０％未満である。
【００６４】
リブ９の一部は、ソール１の側部Ｓ１，Ｓ２にも延在し得る。
その他に、突出部５を参照して上記したことは、設けられる場合にはリブ９にも適用可能である。
【００６５】
希望であれば、ソール１は、シート４または重ね合わせられたシートの底部に拘束、たとえばのり付けまたは成形された１つ以上の接地部１０，１１を備え得る。
【００６６】
このような接地部１０，１１、たとえば前部Ｆにおける一方の部分１０および後部Ｒにおける別の部分１１は、使用中に下になる面２ａの上にのり付けまたは成形され得る。このような部分１０，１１は、たとえば、シート４または重ね合わせられたシートの底部の、たとえば実質的に平滑なセクションの上に拘束されてもよい。
【００６７】
ソール１は、エチレン酢酸ビニル（ＥＶＡ）、ポリウレタン（ＰＵ）、ゴム、発泡もしくはコンパクト熱可塑性ポリウレタン（ＴＰＵ）、熱可塑性ゴム（ＴＲ）、ポリ塩化ビニル（ＰＶＣ）および／または同様のポリマーによって構成される群から選択される材料でできていてもよい。
【００６８】
ソール１は、設けられる場合には接地部１０，１１は別として、たとえば一体になっていてもよい。
【００６９】
ここで図９〜図１５を参照して、本発明に係る別の実施形態が示されており、この実施形態では、ソールは、空洞１４を規定する外側ソールコンポーネント１３と、空洞１４のサイズに合わせて実質的に収容可能なインサート１５とを備え、このようなインサート１５は、上記のように、シート４０と、そこから実質的に突き出る突出部５とを備える。
【００７０】
このような場合、下層は外側ソールコンポーネントによって規定され、上層はインサート１５によって規定される。
【００７１】
希望であれば、インサート１５は、希望であればのりまたは別の好適な方法によって空洞１４内に固定することができるとしても、空洞１４に取り外し可能に収容される。
【００７２】
シート４０は、ベース壁４０ａを有し得て、ベース壁４０ａの端縁から、環状壁４０ｂが上向きに突き出ている。
【００７３】
このような場合、突出部５の各々は、好ましくは、環状壁４０ｂの中に固定、埋設またはいずれの場合でも拘束された第１の側部または終端端部５ｆと第２の側部または終端端部５ｇとを有し得る。
【００７４】
インサート１５は、空洞１４内に拘束、たとえばのり付けされ得る。
実質的に、インサート１５は、図１〜図８を参照しながら上記した窪んだゾーンのように実現可能である。
【００７５】
インサート１５は、空洞１４におけるインサートの正確な位置決めのために、それぞれの突出または下流部分１７のサイズに合わせて係合可能な１つ以上の窪んだゾーンまたは浮き出し部１６を備え得る。
【００７６】
詳細に外側ソール１３に関して、これは、下層１３ａと、下層１３ａから上向きに突き出る周囲部１３ｂとを有し得る。
【００７７】
さらに、周囲部１３ｂに作製された貫通窓８が設けられ得て、このような場合、ソールは、窓８を充填するための１つ以上のコンポーネント１９を備え得る。
【００７８】
充填コンポーネント１９は、プレートセクション１９ａを有し得て、プレートセクション１９ａから、窓８を充填するためのブロック１９ｂが延在している。
【００７９】
充填コンポーネント１９は、インサート１５の間、より特定的にはインサート１５のセクションと外側ソールコンポーネント１３またはそれぞれの周囲部１３ｂとの間に収容されて圧縮されることができる。
【００８０】
充填コンポーネント１９は、透明であってもよい。
充填コンポーネント１９は、窓８の底部を隠すことなく汚れが窓８に侵入することを防ぐ働きをする。
【００８１】
ソール１は、希望であれば実質的にＵ字型に構成されたヒール部２０も備え得て、このようなヒール部２０は、外側ソールコンポーネント１３、より特定的には外側ソールコンポーネント１３の上部後方セクションに拘束、たとえばのり付けまたは他の手段で固定され得る。
【００８２】
外側ソールコンポーネント１３およびインサートは、エチレン酢酸ビニル（ＥＶＡ）、ポリウレタン（ＰＵ）、ゴム、発泡もしくはコンパクト熱可塑性ポリウレタン（ＴＰＵ）、熱可塑性ゴム（ＴＲ）、ポリ塩化ビニル（ＰＶＣ）および／または同様のポリマーによって構成される群から選択される材料でできていてもよい。
【００８３】
本発明に係るソールは、一体になっていてもよく、または好適に拘束される複数の部品でできていてもよい。
【００８４】
さらに、本発明に係るソールでは、上向きに開口する１つ以上の溝も設けられてもよく、このような溝は、ユーザの足の汗を蓄積するように設定され、少なくとも１つの排出ゾーンまたは開口は、そこに蓄積された汗の排出のために複数の溝と流体連通してソール１の外側に至るように設けられることができる。溝は、実際にはシート４の中に窪んでいる。
【００８５】
複数の溝は、少なくとも部分的にソール１の後部Ｒから前部Ｆへの方向に延在する少なくとも２つの主要長手方向溝と、少なくとも２つの第１の横断溝または終端横断溝とを備え得て、少なくとも２つの第１の横断溝または終端横断溝は、少なくとも部分的に実質的にソール１の一方の側Ｓ１から他方の側Ｓ２への方向に延在しており、希望であれば、それらの各々が、２つの主要長手方向溝のうちの一方の主要長手方向溝の一端からまたは一端に近接して、２つの主要長手方向溝のうちの別の主要長手方向溝の一端までまたは一端に近接して、遮断または延在している。
【００８６】
このような場合、主要長手方向溝は、少なくとも一方の端部を他方の前部の近くに、またその逆に、有するという意味で、少なくとも部分的にソール１の後部Ｒから前部Ｆへの方向に延在しているが、後部Ｒ−前部Ｆの方向に平行な広がりと必ずしも直線的ではなく、後部Ｒ−前部Ｆの方向に対して全部または一部が湾曲または傾斜していてもよい。
【００８７】
複数の溝は、少なくとも２つの第２の横断溝または中間横断溝も含み、少なくとも２つの第２の横断溝または中間横断溝は、ソール１の一方の側から他方の側への方向に実質的に延在しており、希望であれば、それらの各々が、特に２つの主要長手方向溝のうちの一方の主要長手方向溝の中間部分またはセクションから、２つの主要長手方向溝のうちの別の主要長手方向溝の中間部分またはセクションまで、２つ以上の主要長手方向溝を遮断するか、またはそれらの間に延在している。
【００８８】
横断溝は、少なくとも一方の端部を他方の一方の側の近くに、またその逆に、有するという意味で、少なくとも部分的にソールの一方の側から他方の側への方向に延在しているが、一方の側から他方の側への方向に平行な広がりと必ずしも直線的ではなく、一方の側から他方の側への方向に対して全部または一部が湾曲または傾斜していてもよい。
【００８９】
第３の主要長手方向溝も設けられる場合には、横断溝は、好ましくは、第１の主要長手方向溝から別のまたは第２の主要長手方向溝までの通路におけるこのような溝と交差するかまたは交わる。
【００９０】
好ましくは、溝は、溝によって境界を定められて互いに分離される最上部コンポーネントの島状部または突起を備えた構造を構成するように互いに連通している。
【００９１】
このような事項に関して、全ての溝は、設けられる場合には、溝によって互いに分離される島状部または突起を備えた構造を構成するように互いに流体連通している。
【００９２】
このような局面に関連して、全ての溝は、単一の溝群に属するように互いに流体連通していてもよく、または、２つ以上の溝群が設けられて、各群の溝は全て、互いに流体連通しているが、他の群の溝とは流体連通していない。各溝群に対して少なくとも１つのゾーンまたは排出開口が設けられ、すなわち、ソールは、各群と流体連通する少なくとも１つの排出開口を備え、または少なくとも１つの排出開口の境界を定める。このような手段により、溝に浸透または収集された汗は、スポーツ活動をしている間に、排出開口に至る１つまたは複数の溝群に流入または流れ込むことができる。
【００９３】
溝は、一定のまたは可変の幅および高さを有することができ、たとえばＵ字型もしくはＶ字型断面または別の好適な構成を有することができる。
【００９４】
上記のまたは各々の排出開口に対して、これは、溝と流体連通することができ、ソール１の後部Ｒまたはシューズウエスト部または前部Ｆにおいて境界を定められる。
【００９５】
有利なことに、各々がソール１のそれぞれの側部Ｓ１，Ｓ２に至る少なくとも２つの開口が設けられる。より特定的には、ソール１の外側に至る少なくとも１つの開口が設けられ、ソール１の内側に至る少なくとも１つの開口が設けられる。
【００９６】
ソール１は、開口またはそれぞれの開口を閉鎖またはさらには被覆するための少なくとも１つのフィルタリング膜も備えていてもよい。
【００９７】
また、本発明の目的を構成するのは、上記のソールと、ソールに拘束された甲革とを備えるシューズである。
【００９８】
確認できるように、本発明に係るソールにより、第１のステップ中はユーザによって圧縮され、その後のステップ中は前方への推進力をユーザ自身に返すであろう突出部、設けられる場合にはリブの形状に起因して、それぞれのユーザにとって最適な前方への推進力を得ることが可能である。
【００９９】
また、突出部の構成は、各ユーザの足に人間工学的に適合されるようなものであるため、快適さおよび効率が保証される。
【０１００】
また、本発明に係るソールは、圧力に応じて押しつぶされる、すなわち実際にセルフモデリングであるので、さまざまな解剖学的構造により容易に適合される。
【０１０１】
このような事項に関して、ソールの前部またはシューズウエスト部における突出部の各々が、ソールの内部部分または内側部分から外部部分または外側部分への方向に、第１の湾曲セクションと第２の湾曲セクションとを備える場合、ソールの前部部分は、ユーザの足の中足骨頭の傾向を追従し、横揺れ時に足について行くことによって可撓性を保証する。
【０１０２】
１つの材料からなる外部要素と、外部要素の材料とは異なる材料からなるインサートとを有することが可能であり、それにより、ソールは、一体になっているかまたは２つ以上の部品で構成されることができる。
【０１０３】
汗の通路が存在するであろう溝も設けられてもよい。
溝は、ソールの弾性を実現することも可能にするであろう。
【０１０４】
本発明の変形および変更は、特許請求の範囲によって規定される保護範囲の範囲内で可能である。
【図１】
2020203082.tif 000003
【図２】
2020203082.tif 000004
【図３】
2020203082.tif 000005
【図４】
2020203082.tif 000006
【図５】
2020203082.tif 000007
【図６】
2020203082.tif 000008
【図７】
2020203082.tif 000009
【図８】
2020203082.tif 000010
【図９】
2020203082.tif 000011
【図１０】
2020203082.tif 000012
【図１１】
2020203082.tif 000013
【図１２】
2020203082.tif 000014
【図１３】
2020203082.tif 000015
【図１４】
2020203082.tif 000016
【図１５】
2020203082.tif 000017
【外国語明細書】
2020203082000001.pdf